(57)【要約】【課題】  柔軟なシート状物（例えば薄手の紙など）でも自立させて掲示し得るシート保持具を提供する、【解決手段】  前側挟持片１および後側挟持片２は、それぞれ前側（図において紙面の手前側）に向けて凸なる形に湾曲し、相互に数ミリメートル程度の間隔を有している。これら２個の挟持片の間にシート状物６を差し込むと、多少の風では吹き飛ばされない程度にしっかり保持され、しかも容易に抜き取ることもできる。前記の後側挟持片２は前側挟持片１よりも背が高い。こにため、両者の間にシート状物を差し込む操作が容易である。【選択図】  図１
2006317743.tif 000002
【特許請求の範囲】
【請求項１】
シート状物の表面が見えるように保持する器具であって、
シート状物の前側に位置する、ほぼ垂直な前側挟持片（１）と、
シート状物の後側に位置する、ほぼ垂直な後側挟持片（２）とが、ミリメートル単位の間隔で対向しており、
かつ、上記前側挟持片と後側挟持片とが、凸側を前方に向ける形に湾曲していて、
前側挟持片の上端よりも、後側挟持片の上端の方が高く位置していることを特徴とするシート保持具。
【請求項２】
後側挟持片（２）の後面に平坦な部分があって、この平坦部に両面粘着テープ（５）を貼着して壁面（７）に取り付け得るようになっていることを特徴とする、請求項１に記載したシート保持具。
【請求項３】
後側挟持片（２）の後面に、ブラケット（３）を介して自立用脚（４）が折り畳み可能に取り付けられていて、この自立用脚を引き起こして（矢印ｂ）テーブル面（８）の上に立て得るようになっていることを特徴とする、請求項１または請求項２に記載したシート保持具。
【発明の詳細な説明】
【技術分野】
【０００１】
本発明は、写真，氏名札，メモ用紙，ポスター，メニュー表などのシート状物を、その表面が良く見えるように保持するための簡単な器具に関するものである。
【背景技術】
【０００２】
シート状物を展示する場合は、従来一般に（イ）額縁に入れて壁に掛ける方式、（ロ）自立性を有するクリップで該シート状物を挟んで机上などに立てる方式、（ハ）小形のブロックに形成された溝状の切り込みに該シート状物を差し込んで机上などに立てる方式、（ニ）画鋲で壁面に刺す方式、（ホ）セロテープ（登録商標）で壁面などに貼り付ける方式等が用いられている。
【０００３】
前記イ項の額縁方式は、額縁が比較的高価であり、掲示や交換に手数が掛かる。
前記ロ項のクリップ方式は、挟み付けたり取り外したりする操作に手数が掛かる。
前記ハ項の溝付きブロック方式は、簡便であるが、シート状物の保持が不確実である。
前記ニ項の画鋲方式やホ項のセロテープ（登録商標）方式は、シート状物を損傷する虞れが有る。
そこで、これらに代わる、安価で、簡便で、取り扱い容易で、シート状物を傷つけない保持具も提案されているが、未だ完全に要望を満たすに至っていない。
【特許文献１】特開２０００−７１６６２号公報
【発明の開示】
【発明が解決しようとする課題】
【０００４】
本発明は以上に述べた事情に鑑みて為されたものであって、その目的とするところは、
シート状物を傷つけたり汚したりする虞れが無く、該シート状物が薄くても撓まずに保持され、取り付け掲示・取り外し収納が容易で、製造コストの低廉なシート保持具を提供するにある。
【課題を解決するための手段】
【０００５】
請求項１に係る発明器具の構成は、（図２参照）シート状物の表面が見えるように保持する器具であって、
シート状物の前側に位置する、ほぼ垂直な前側挟持片１と、
シート状物の後側に位置する、ほぼ垂直な後側挟持片２とが、ミリメートル単位の間隔で対向しており、
かつ、上記前側挟持片と後側挟持片とが、凸側を前方に向ける形に湾曲していて、
前側挟持片の上端よりも、後側挟持片の上端の方が高く位置している（背が高い）ことを特徴とする。
【０００６】
請求項２に係る発明器具の構成は、前記請求項１の発明器具の構成要件に加えて、（図ブラケット３（Ａ）参照）
後側挟持片２の後面に平坦な部分があって、この平坦部に両面粘着テープ５を貼着して壁面７に取り付け得るようになっていることを特徴とする。
【０００７】
請求項３に係る発明器具の構成は、前記請求項１または請求項２の発明器具の構成要件に加えて、（図３（Ｂ）参照）
後側挟持片２の後面に、ブラケット３を介して自立用脚４が折り畳み可能に取り付けられていて、この自立用脚を引き起こして（矢印ｂ）テーブル面８の上に立て得るようになっていることを特徴とする。
【発明の効果】
【０００８】
請求項１の発明器具を適用すると、
前側挟持片と後側挟持片との間にシート状物を差し込んで、迅速容易に保持することができ、かつ迅速容易に抜き取ることもできる。
特に、前側挟持片と後側挟持片とが湾曲しているので、シート状物が軽く曲げられる。このため、該シート状物が薄くて柔軟であっても、曲げられて剛性を増し、自立して保持される。
【０００９】
請求項２の発明器具を適用すると、本発明にかかるシート保持具を迅速容易に壁面へ取り付けたり、壁面から取り外したりすることができる。
【００１０】
請求項３の発明器具を適用すると、本発明にかかるシート保持具を迅速容易にテーブル面上に立てて掲示することができる。テーブル面上に立て得るとは、テーブルに限らず、一般的に任意の箇所に掲示できるという意味である。
【発明を実施するための最良の形態】
【００１１】
図２は、本発明の１実施形態を示し、（Ａ）は正面図、（Ｂ）は側面図、（Ｃ）は背面図、（Ｄ）は平面図（上面図）、（Ｅ）は両面粘着テープの１部分を描いた外観斜視図である。
（Ｂ図参照）本発明器具によって掲示されるシート状物（６）は、その表面（見せるべき側の面）を矢印Ｆ方向に向けて保持される。説明の便宜上、このＦ方向を前と呼び、その反対方向（矢印Ｒ）を後と呼ぶことにする。
【００１２】
前側挟持片１はシート状物６の前側に、後側挟持片２はシート状物６の後側にそれぞれ位置する。
（Ｄ図参照）前側挟持片１および後側挟持片２はそれぞれ前側（Ｆ）に向けて凸なる形に湾曲している。両者の間隔寸法ｔは、本実施形態では１．９ミリメートルである。本発明を実施する場合、寸法ｔの値は限定されないが、数ミリメートル程度が望ましい。
これにより、幅寸法が数ミリメートルの円弧状の深い溝ｍが形成される。
シート状物６は、この溝ｍに差し込まれる。
本発明において「前側（Ｆ）に向けて凸に湾曲している形状」とは、使用状態において軸心を略垂直にした円柱面に類似した形状の意である。ただし類似の幅は非常に広く、楕円柱面なども含む。
【００１３】
前側挟持片１と後側挟持片２との間にシート状物６を差し込んだ状態を図１に示す。
前側挟持片１と後側挟持片２とが湾曲しているため、その間に差し込まれたシート状物６も若干湾曲する。このため、シート状物が薄手でフレキシブルな紙であっても自立して保持される。
この図１では、前側挟持片１と後側挟持片２とを部分的に破断して描いてあるので、断面形状が変則的なコの字状を成していることが表されている。
【００１４】
前掲の図１によって、本実施形態のシート保持具がシート状物を保持する機能を果たし得ることが理解された。
その次には、このシート保持具をどのようにして所望の箇所へ取り付けるかを考察しなければならない。
前掲の図１（Ｂ）、（Ｃ）および（Ｄ）に表されているように、後側挟持片２の後側にブラケット３が設けられている。該ブラケットには、枢支軸４ａによって自立用脚４が取り付けられている。この自立用脚の作用については、図３（Ｂ）を参照して後に詳しく説明する。
【００１５】
本発明に係るシート保持具は、その後面に平坦な部分が形成される。本実施形態においては、前記自立用脚４の後面が平坦になっている。本図２（Ｅ）は粘着テープを模式的に描いたものである。テープ離型紙５ａの上に、多数の小片の両面粘着テープ５が配列されている。該小片の両面粘着テープの表面に貼着されているカバー離型紙５ｂを剥ぎ取って、矢印ａのように自立用脚４の後面に貼り付ける。貼り付けた様子は（Ｂ）、（Ｃ）、（Ｄ）に表されている。
【００１６】
上記図２（Ｂ）を拡大したものが図３（Ａ）である。読図を容易ならしめるため、両面粘着テープ５は実際よりも厚く描いてある。この両面粘着テープを壁面７に押し付けると、本例のシート保持具は壁面に固定される。
本図３（Ａ）と前掲の図１とを対照して理解されるように、シート保持具を壁面に固定して、該壁面に沿わせてシート状物を掲示することができる。
保持されているシート状物６が湾曲しているため自立し得ることは先に述べた通りであるが、
【００１７】
更に、湾曲したシート状物が復元力によって前側挟持片１および後側挟持片２に軽く押し付けられるので、保持が確実になる。すなわち、少々の風ぐらいでは吹き飛ばされる虞れが無い程度に保持される。  
しかも、この程度の挟持力であるから、該シート状物を指先で摘まんで容易に引き抜くこともできる。その結果、掲示されているシート状物（写真，ポスター，絵葉書など何でも）の挿脱交換を迅速容易に行なうことができる。
【００１８】
（図３（Ｂ）参照）自立用脚４を矢印ｂのように引き起こすと、テーブル面８の上に立てることができる。勿論、テーブル上に限らず、本箱の上にでも、飾棚の上にでも適宜に立てることができ、どのように利用しても本発明の技術的範囲内であある。
図３（Ａ）の状態では、前側挟持片１及び後側挟持片２がほとんど垂直姿勢になっているが、同図（Ｂ）では若干傾斜している。
本発明において前側挟持片１や後側挟持片２に関して「ほぼ垂直」とは、本発明器具を使用している状態において「水平よりは垂直に近い」と言うほどの意味である。
該器具を単体で観察したときは、「ほぼ垂直」という語句は本発明器具の構成を限定するものではない。
【００１９】
（図３（Ｂ）参照）前側挟持片１と後側挟持片２とは、先に図２（Ｄ）を参照して説明したように間隔ｔを有している。さらに、後側挟持片２は前側挟持片１よりも背が高い。このように構成されているから、これらの間にシート状物６を近づけて矢印ｃのように
差し込む操作が非常に容易である。
このため、本発明器具は小児でも取り扱うことができ、指先を挟まれるなどのトラブルを生じる虞れが無くて安全である。
【図面の簡単な説明】
【００２０】
【図１】本発明器具の１実施形態を示し、シート状物を挟持した状態を描いた１部破断斜視図
【図２】本発明器具の１実施形態を示し、（Ａ）は外観正面図、（Ｂ）は外観側面図、（Ｃ）は外観背面図、（Ｄ）は外観平面図（上面図）、（Ｅ）は、両面粘着テープの模式的な外観斜視図
【図３】本発明器具の１実施形態を示し、（Ａ）は壁面に取り付けた状態を模式的に描いた外観側面図、（Ｂ）は自立用脚を引き起こしてテーブル面上に自立させた状態を模式的に描いた外観側面図
【符号の説明】
【００２１】
１…前側挟持片
２…後側挟持片
３…ブラケット
４…自立用脚
４ａ…枢支軸
５…両面粘着テープ
５ａ…テープ離型紙
５ｂ…カバー離型紙 
６…シート状物 
７…壁面 
８…テーブル面 
ａ…両面粘着テープの移動を表す矢印 
ｂ…自立用脚の引き起こし操作を表す矢印 
ｃ…シート状物の差し込み操作を表す矢印  
Ｆ…前側を表す矢印 
Ｒ…後側を表す矢印 
ｔ…前側挟持片と後側挟持片との間隔寸法
【図１】
2006317743.tif 000003
【図２】
2006317743.tif 000004
【図３】
2006317743.tif 000005